(57)【要約】【課題】  従来の太く柔軟性に欠ける特性を持つアンテナ線を用いた場合の取り付けや取り外しの困難性を解消し、極めて容易に行うことができるようにする。【解決手段】  映像／音声信号や少なくともアンテナ信号の出力要求を示す要求信号の伝送が可能な統合型のフレキシブル専用ケーブル４０をテレビ受信機１０の端子２１とＰＣ３０の端子３１とに接続し、ＰＣ３０のコントローラ３４からテレビ受信機１０のコントローラ１９に要求信号が出されると、そのコントローラ１９により、切換スイッチ１８による切り換えが制御され、受信したアンテナ信号がＰＣ３０側に出力するように切り換えられるようにし、従来の太く柔軟性に欠ける特性を持つアンテナ線を用いなくてもよいようにした。【選択図】  図１
2007088973.tif 000002
【特許請求の範囲】
【請求項１】
放送受信アンテナが接続されるテレビ受信機と、
前記テレビ受信機に接続される外部機器と、
前記テレビ受信機と前記外部機器とを接続する、映像／音声信号や少なくともアンテナ信号の出力要求を示す要求信号の伝送が可能なケーブルとを備え、
前記テレビ受信機は、
前記ケーブルのコネクタが接続される受信機側端子と、
受信したアンテナ信号を前記外部機器側に出力するように切り換える切換手段と、
前記外部機器からの前記要求信号に応じて前記切換手段による切り換えを制御するテレビ受信機側制御手段とを有し、
前記外部機器は、
前記ケーブルのコネクタが接続される外部機器側端子と、
前記要求信号を出す外部機器側制御手段と、
前記ケーブルを介して得られる前記アンテナ信号から所望のチャンネルの信号を抽出するチューナとを有する
ことを特徴とするテレビ受信システム。
【請求項２】
前記テレビ受信機は、
地上波アンテナからの信号を取り込む地上波アンテナ用端子と、
衛星放送アンテナからの信号を取り込む衛星放送用アンテナ端子とを有し、
前記外部機器側制御手段から前記テレビ受信機側制御手段に地上波又は衛星放送の選択要求を示す信号が出されると、前記テレビ受信機側制御手段により前記切換手段が制御され、前記地上波アンテナ用端子又は前記衛星放送用アンテナ端子からのアンテナ信号が前記外部機器側に供給される
ことを特徴とする請求項１に記載のテレビ受信システム。
【請求項３】
映像／音声信号や少なくともアンテナ信号の出力要求を示す要求信号の伝送が可能なケーブルのコネクタが接続される受信機側端子と、
放送受信アンテナから受信したアンテナ信号を外部機器側に出力するように切り換える切換手段と、
外部機器からの前記要求信号に応じて前記切換手段による切り換えを制御するテレビ受信機側制御手段とを備える
ことを特徴とするテレビ受信機。
【請求項４】
地上波アンテナからの信号を取り込む地上波アンテナ用端子と、
衛星放送アンテナからの信号を取り込む衛星放送用アンテナ端子とを有し、
前記外部機器側から前記テレビ受信機側制御手段に地上波又は衛星放送の選択要求を示す信号が出されると、前記テレビ受信機側制御手段により前記切換手段が制御され、前記地上波アンテナ用端子又は前記衛星放送用アンテナ端子からのアンテナ信号が前記外部機器側に供給される
ことを特徴とする請求項４に記載のテレビ受信機。
【請求項５】
映像／音声信号や少なくともアンテナ信号の出力要求を示す要求信号の伝送が可能なケーブルのコネクタが接続される外部機器側端子と、
テレビ受信機側に前記要求信号を出す外部機器側制御手段と、
前記ケーブルを介して得られる前記アンテナ信号から所望のチャンネルの信号を抽出するチューナとを備える
ことを特徴とする外部機器。
【請求項６】
前記外部機器側制御手段は、前記テレビ受信機側に地上波又は衛星放送のいずれかの出力要求を示す信号を出すことを特徴とする請求項５に記載の外部機器。
【請求項７】
受信機側端子と外部機器側端子との間に映像／音声信号や少なくともアンテナ信号の出力要求を示す要求信号の伝送が可能なケーブルが接続された状態において、
外部機器の外部機器側制御手段からテレビ受信機のテレビ受信機側制御手段に前記要求信号が出され、
前記テレビ受信機側制御手段により、切換手段による切り換えが制御され、受信したアンテナ信号が外部機器側に出力するように切り換えられる
ことを特徴とするテレビ受信方法。
【請求項８】
前記外部機器の外部機器側制御手段からテレビ受信機のテレビ受信機側制御手段に地上波又は衛星放送の選択要求を示す信号が出され、
前記テレビ受信機側制御手段により前記切換手段が制御され、前記地上波又は前記衛星放送のいずれかアンテナ信号が前記外部機器側に供給される
ことを特徴とする請求項７に記載のテレビ受信方法。
【発明の詳細な説明】
【技術分野】
【０００１】
本発明は、テレビ受信機で受信したアンテナ信号をたとえばパーソナルコンピュータ等の外部機器に供給するテレビ受信システム、テレビ受信機、外部機器、テレビ受信方法に関する。
【背景技術】
【０００２】
近年のパーソナルコンピュータ（以下、ＰＣという）にあっては、テレビチューナが内蔵され、ＰＣ本体に直接アンテナ線を接続することで、ＰＣ自体でのテレビジョン放送の受信が可能となっている。また、受信したテレビジョン放送は、内蔵のハードディスク等の記録媒体に録画することも可能であり、さらには録画した映像を編集することも可能である。
【０００３】
このようなテレビジョン放送の受信が可能なＰＣとして、特許文献１では、入力テレビ映像信号を色信号復調回路で輝度信号と色度信号とに復調後、マトリクス回路に入力し、三原色信号を得、アナログ／ディジタル変換回路でディジタルビデオ信号としてＦＩＦＯに入力するとＦＩＦＯでは、入力ビデオ信号の同期周波数から、パソコン画像の表示同期周波数に変換しＣＰＵで制御する表示制御回路に入力され、他方、同期信号分離回路を用い得られるテレビ映像信号の同期信号も同表示制御回路に入力し、テレビ映像との同期がとられ、表示制御回路でテレビ映像信号とパソコン画像信号とを切り換えて出力しパソコン全画面、テレビ全画面、両画面のスーパーインポーズ等の映像表示を得るようにしたパソコンテレビを提案している。
【特許文献１】特開平０８−２０２３２１号公報
【発明の開示】
【発明が解決しようとする課題】
【０００４】
このように、特許文献１に示されたパソコンテレビでは、表示制御回路でテレビ映像信号とパソコン画像信号とを切り換えて出力することにより、パソコン画像とテレビ映像との切換表示を行うことが可能となる。
【０００５】
ところで、このようなパソコン画像とテレビ映像との切換表示を行う技術はノート型ＰＣにも適用できるが、ノート型ＰＣの場合は使用場所を選ばないため、テレビ映像を視聴する場合、移動した場所でノート型ＰＣ本体にアンテナ線を取り付ける必要がある。
【０００６】
ところが、アンテナ線は太く柔軟性に欠ける特性を持つことから、ノート型ＰＣ本体にアンテナ線を取り付けたり取り外したりすることは非常に行い難いという問題があった。
【０００７】
本発明は、このような状況に鑑みてなされたものであり、上記問題点を解決することができるテレビ受信システム、テレビ受信機、外部機器、テレビ受信方法を提供することを目的とする。
【課題を解決するための手段】
【０００８】
本発明のテレビ受信システムは、放送受信アンテナが接続されるテレビ受信機と、前記テレビ受信機に接続される外部機器と、前記テレビ受信機と前記外部機器とを接続する、映像／音声信号や少なくともアンテナ信号の出力要求を示す要求信号の伝送が可能なケーブルとを備え、前記テレビ受信機は、前記ケーブルのコネクタが接続される受信機側端子と、受信したアンテナ信号を前記外部機器側に出力するように切り換える切換手段と、前記外部機器からの前記要求信号に応じて前記切換手段による切り換えを制御するテレビ受信機側制御手段とを有し、前記外部機器は、前記ケーブルのコネクタが接続される外部機器側端子と、前記要求信号を出す外部機器側制御手段と、前記ケーブルを介して得られる前記アンテナ信号から所望のチャンネルの信号を抽出するチューナとを有することを特徴とする。
また、前記テレビ受信機は、地上波アンテナからの信号を取り込む地上波アンテナ用端子と、衛星放送アンテナからの信号を取り込む衛星放送用アンテナ端子とを有し、前記外部機器側制御手段から前記テレビ受信機側制御手段に地上波又は衛星放送の選択要求を示す信号が出されると、前記テレビ受信機側制御手段により前記切換手段が制御され、前記地上波アンテナ用端子又は前記衛星放送用アンテナ端子からのアンテナ信号が前記外部機器側に供給されるようにすることができる。
本発明のテレビ受信機は、映像／音声信号や少なくともアンテナ信号の出力要求を示す要求信号の伝送が可能なケーブルのコネクタが接続される受信機側端子と、放送受信アンテナから受信したアンテナ信号を外部機器側に出力するように切り換える切換手段と、外部機器からの前記要求信号に応じて前記切換手段による切り換えを制御するテレビ受信機側制御手段とを備えることを特徴とする。
また、地上波アンテナからの信号を取り込む地上波アンテナ用端子と、衛星放送アンテナからの信号を取り込む衛星放送用アンテナ端子とを有し、前記外部機器側から前記テレビ受信機側制御手段に地上波又は衛星放送の選択要求を示す信号が出されると、前記テレビ受信機側制御手段により前記切換手段が制御され、前記地上波アンテナ用端子又は前記衛星放送用アンテナ端子からのアンテナ信号が前記外部機器側に供給されるようにすることができる。
本発明の外部機器は、映像／音声信号や少なくともアンテナ信号の出力要求を示す要求信号の伝送が可能なケーブルのコネクタが接続される外部機器側端子と、テレビ受信機側に前記要求信号を出す外部機器側制御手段と、前記ケーブルを介して得られる前記アンテナ信号から所望のチャンネルの信号を抽出するチューナとを備えることを特徴とする。
また、前記外部機器側制御手段は、前記テレビ受信機側に地上波又は衛星放送のいずれかの出力要求を示す信号を出すようにすることができる。
本発明のテレビ受信方法は、受信機側端子と外部機器側端子との間に映像／音声信号や少なくともアンテナ信号の出力要求を示す要求信号の伝送が可能なケーブルが接続された状態において、外部機器の外部機器側制御手段からテレビ受信機のテレビ受信機側制御手段に前記要求信号が出され、前記テレビ受信機側制御手段により、切換手段による切り換えが制御され、受信したアンテナ信号が外部機器側に出力するように切り換えられることを特徴とする。
また、前記外部機器の外部機器側制御手段からテレビ受信機のテレビ受信機側制御手段に地上波又は衛星放送の選択要求を示す信号が出され、前記テレビ受信機側制御手段により前記切換手段が制御され、前記地上波又は前記衛星放送のいずれかアンテナ信号が前記外部機器側に供給されるようにすることができる。
本発明のテレビ受信システム、テレビ受信機、外部機器、テレビ受信方法では、映像／音声信号や少なくともアンテナ信号の出力要求を示す要求信号の伝送が可能なケーブルをテレビ受信機と外部機器とに接続し、外部機器の外部機器側制御手段からテレビ受信機のテレビ受信機側制御手段に要求信号が出されると、テレビ受信機側制御手段により、切換手段による切り換えが制御され、受信したアンテナ信号が外部機器側に出力するように切り換えられる。
【発明の効果】
【０００９】
本発明のテレビ受信システム、テレビ受信機、外部機器、テレビ受信方法によれば、映像／音声信号や少なくともアンテナ信号の出力要求を示す要求信号の伝送が可能なケーブルをテレビ受信機と外部機器とに接続し、外部機器の外部機器側制御手段からテレビ受信機のテレビ受信機側制御手段に要求信号が出されると、テレビ受信機側制御手段により、切換手段による切り換えが制御され、受信したアンテナ信号が外部機器側に出力するように切り換えられるので、従来の太く柔軟性に欠ける特性を持つアンテナ線を用いることなく、ケーブルでアンテナ信号の受信が可能となり、そのケーブルの柔軟性等によってケーブルの取り付けや取り外しを極めて容易に行うことができる。
【発明を実施するための最良の形態】
【００１０】
本実施形態では、映像／音声信号や少なくともアンテナ信号の出力要求を示す要求信号の伝送が可能な統合型のフレキシブル専用ケーブルをテレビ受信機と外部機器とに接続し、外部機器の外部機器側制御手段からテレビ受信機のテレビ受信機側制御手段に要求信号が出されると、テレビ受信機側制御手段により、切換手段による切り換えが制御され、受信したアンテナ信号が外部機器側に出力するように切り換えられ、従来の太く柔軟性に欠ける特性を持つアンテナ線を用いることなく、フレキシブル専用ケーブルでアンテナ信号の受信が可能となるようにし、そのフレキシブル専用ケーブルの柔軟性等によってフレキシブル専用ケーブルの取り付けや取り外しが極めて容易に行えるようにした。
【実施例】
【００１１】
図１は、本発明のテレビ受信システムの一実施形態を示すブロック図、図２は、図１のテレビ受信システムによるテレビ受信方法を説明するためのフローチャートである。
【００１２】
図１に示すテレビ受信システムは、テレビ受信機１０と外部機器としてのパーソナルコンピュータ（以下、ＰＣという）３０とを備えている。
【００１３】
テレビ受信機１０には、地上波アンテナ４１と衛星放送アンテナ４２とからの信号を取り込むアンテナ端子１１，１２が設けられている。ここで、アンテナ端子１１は地上波用アンテナ端子であり、アンテナ端子１２は衛星放送用アンテナ端子である。アンテナ端子１１，１２には、チューナ１３，１４が接続されており、これらのチューナ１３，１４によりアンテナ信号から所望のチャンネルの信号が抽出され、さらに映像／音声信号に変換されて出力される。
【００１４】
チューナ１３，１４には、セレクタ１５が接続されており、セレクタ１５によって選択された映像／音声信号が映像／音声出力回路２０に出力される。また、セレクタ１５には、外部機器であるＰＣ３０側からの映像／音声信号が受信機側端子としての端子２１経由で供給されるようになっている。また、アンテナ端子１１，１２からのアンテナ信号は、アンプ１６，１７及び切換手段としての切換スイッチ１８を経由して端子２１に供給される。
【００１５】
テレビ受信機側制御手段としてのコントローラ１９は、セレクタ１５における映像／音声信号の選択を制御する。また、コントローラ１９は、端子２１経由でＰＣ３０側と通信できるようになっており、ＰＣ３０側からの要求に応じて切換スイッチ１８を制御し、アンテナ端子１１，１２からのアンテナ信号のいずれかをＰＣ３０側に供給する。
【００１６】
一方、ＰＣ３０側は、外部機器側端子としての端子３１に接続されるフレキシブル専用ケーブル４０を介してテレビ受信機１０側の端子２１に接続されている。ここで、フレキシブル専用ケーブル４０は、映像／音声信号や少なくともアンテナ信号の出力要求を示す要求信号の伝送が可能な統合型である。また、フレキシブル専用ケーブル４０は柔軟性を有するとともに、そのコネクタは端子２１、３１に対してワンタッチ装着できる形状及び構造となっている。
【００１７】
端子３１には、チューナ３２、ＯＳＤ付加部３３、コントローラ３４が接続されている。チューナ３２は、端子３１から供給されるアンテナ信号から所望のチャンネルの信号を抽出し、さらに映像／音声信号に変換してＯＳＤ付加部３３及び録画部３５に供給する。
【００１８】
ＯＳＤ付加部３３は、コントローラ３４からの指示により所定の情報をＯＳＤ表示するための信号を端子３１に供給する。外部機器側制御手段としてのコントローラ３４は、ＯＳＤ付加部３３によるＯＳＤの制御やテレビ受信機１０側へのアンテナ端子１１，１２からのアンテナ信号のいずれかの選択要求を行う。録画部３５は、録画要求に応じてチューナ３２からの映像／音声信号を録画する。
【００１９】
次に、テレビ受信方法について説明する。
まず、テレビ受信機１０側で所望のチャンネルの映像／音声信号を視聴する場合は、図示しないリモコン等によって所望のチャンネルを選択すると（ステップＳ１）、チューナ１３，１４により地上波アンテナ４１と衛星放送アンテナ４２とからの信号を取り込むアンテナ端子１１，１２からのアンテナ信号から所望のチャンネルの信号が抽出され、さらに映像／音声信号に変換されて出力され、セレクタ１５によって選択された映像／音声信号が映像／音声出力回路２０に出力される（ステップＳ２）。
【００２０】
一方、ＰＣ３０側で所望のチャンネルの映像／音声信号を視聴する場合は、フレキシブル専用ケーブル４０のコネクタを、テレビ受信機１０側の端子２１とＰＣ３０側の端子３１に装着する（ステップＳ３）。ここで、フレキシブル専用ケーブル４０は上述したように柔軟性を有するとともに、そのコネクタはワンタッチ装着できる形状及び構造となっているため、フレキシブル専用ケーブル４０の接続を容易に行える。
【００２１】
フレキシブル専用ケーブル４０の接続を完了した後、ＰＣ３０側の電源を投入し、図示しないキーボードやリモコン等から地上波又は衛星放送の選択と（ステップＳ４）、所望のチャンネルの選択とを行う（ステップＳ５）。このとき、コントローラ３４により、フレキシブル専用ケーブル４０を介してテレビ受信機１０側に地上波又は衛星放送の選択要求が出される（ステップＳ６）。
【００２２】
テレビ受信機１０側では、コントローラ１９がその選択要求に応じて切換スイッチ１８を制御し（ステップＳ７）、アンテナ端子１１，１２からのアンテナ信号のいずれかをフレキシブル専用ケーブル４０を介してＰＣ３０側に供給する（ステップＳ８）。
【００２３】
ＰＣ３０側では、チューナ３２により、端子３１から供給されるアンテナ信号から所望のチャンネルの信号が抽出され（ステップＳ９）、さらに映像／音声信号に変換して図示しない映像／音声出力回路に出力される（ステップＳ１０）。また、録画要求がある場合は、チューナ３２によって抽出された所望のチャンネルの信号が録画部３５により録画される。
【００２４】
このように、本実施形態では、映像／音声信号や少なくともアンテナ信号の出力要求を示す要求信号の伝送が可能な統合型のフレキシブル専用ケーブル４０をテレビ受信機１０の端子２１とＰＣ３０の端子３１とに接続し、ＰＣ３０のコントローラ３４からテレビ受信機１０のコントローラ１９に要求信号が出されると、そのコントローラ１９により、切換スイッチ１８による切り換えが制御され、受信したアンテナ信号がＰＣ３０側に出力するように切り換えられるようにしたので、従来の太く柔軟性に欠ける特性を持つアンテナ線を用いることなく、フレキシブル専用ケーブル４０でアンテナ信号の受信が可能となることから、そのフレキシブル専用ケーブル４０の柔軟性等によってフレキシブル専用ケーブル４０の取り付けや取り外しを極めて容易に行うことができる。
【００２５】
また、本実施形態では、フレキシブル専用ケーブル４０を介して供給されるテレビ受信機１０側からのアンテナ信号の所望のチャンネルの信号がチューナ３２によって抽出されるとともに、ＰＣ３０側で録画要求がある場合は録画部３５に録画することができるとともに、ＰＣ３０側からの映像／音声信号をフレキシブル専用ケーブル４０を介してテレビ受信機１０側に供給することで、テレビ受信機１０側での視聴を行うことができる。
【００２６】
また、本実施形態では、ＰＣ３０側のコントローラ３４からテレビ受信機１０側のコントローラ１９にフレキシブル専用ケーブル４０を介して地上波又は衛星放送の選択要求を示す信号が出されると、テレビ受信機１０側のコントローラ１９により切換スイッチ１８による切り換えが制御され、地上波又は衛星放送のいずれかアンテナ信号がＰＣ３０側に供給されるようにした。
【００２７】
これにより、従来では、地上波と衛星放送との両方を受信する際、両方のアンテナ線を、つまり２本接続しなければならなかったが、本実施形態では、１本のフレキシブル専用ケーブル４０を接続し、テレビ受信機１０側で地上波又は衛星放送の供給が切り換えられることから、接続の煩わしさを無くすことができる。
【産業上の利用可能性】
【００２８】
外部機器はＰＣ以外であってもよく、チューナを内蔵しているＤＶＤプレーヤ等の他の機器がテレビ受信機に接続される場合においても適用可能である。
【図面の簡単な説明】
【００２９】
【図１】本発明のテレビ受信システムの一実施形態を示すブロック図である。
【図２】図１のテレビ受信システムによるテレビ受信方法を説明するためのフローチャートである。
【符号の説明】
【００３０】
１０  テレビ受信機
１１  アンテナ端子（地上波用アンテナ端子）
１２  アンテナ端子（衛星放送用アンテナ端子）
１３，１４，３２  チューナ
１５  セレクタ
１６，１７  アンプ
１８  切換スイッチ（切換手段）
１９  コントローラ（テレビ受信機側制御手段）
２０  映像／音声出力回路
２１  端子（受信機側端子）
３１  端子（外部機器側端子）
３０  ＰＣ（外部機器）
３３  ＯＳＤ付加部
３４  コントローラ（外部機器側制御手段）
３５  録画部
４０  フレキシブル専用ケーブル
４１  地上波アンテナ
４２  衛星放送アンテナ
【図１】
2007088973.tif 000003
【図２】
2007088973.tif 000004